(57)【要約】【課題】主回路が同じ放電灯点灯装置でモジュールを取付けない際には単出力の放電灯点灯装置として動作し、モジュールを取付けた際には取付けたモジュールに応じた機能を放電灯点灯装置に付加する。【解決手段】交流電源を整流し所定の直流電圧に変換する交流−直流変換回路と、交流−直流変換回路の直流電圧を高周波電圧に変換するインバータ回路と、インバータ回路に接続される放電灯点灯用の共振回路と、交流−直流変換回路及びインバータ回路の動作を制御する点灯制御回路と、モジュールの装着時には所定の機能を付加されて非装着時には単出力動作となるようなモジュールを取り付ける空間と、点灯制御回路とモジュール、交流電源の両端とモジュール、放電灯の両端とモジュールとの電気的接続を可能とする手段を備える。【選択図】        図１
2004296207.tif 000002
【特許請求の範囲】
【請求項１】
交流電源と、交流電源を整流し所定の直流電圧に変換する交流−直流変換回路と、交流−直流変換回路に接続されるとともに少なくとも一つのスイッチング素子を有し所定の直流電圧を高周波電圧に変換するインバータ回路と、インバータ回路に接続されるとともに少なくともコンデンサ及びインダクタを有し放電灯を点灯させる共振回路と、交流−直流変換回路及びインバータ回路の動作を制御する点灯制御回路と、モジュールの装着時には所定の機能を付加されて非装着時には単出力動作となるようなモジュールを取り付ける空間と、点灯制御回路とモジュールとの電気的接続を可能とする手段と、交流電源の両端とモジュールとの電気的接続を可能とする手段と、放電灯の両端とモジュールとの電気的接続を可能とする手段とを備えることを特徴とする放電灯点灯装置。
【請求項２】
前記点灯制御回路とモジュールとの電気的接続を可能とする手段は、接続端子であることを特徴とする請求項１記載の放電灯点灯装置。
【請求項３】
前記交流電源の両端とモジュールとの電気的接続を可能とする手段は、交流電源を直流電源にして出力する整流器と、整流器に接続されたコンデンサを持ち、前記コンデンサの両端電圧情報を前記接続端子に伝送することを特徴とする請求項２記載の放電灯点灯装置。
【請求項４】
前記放電灯の両端とモジュールとの電気的接続を可能とする手段は、前記共振回路の両端電圧を検出し、前記接続端子に伝送する手段であることを特徴とする請求項２又は３記載の放電灯点灯装置。
【請求項５】
機能の異なる多種のモジュールを選択的に取り付け可能であることを特徴とする請求項１〜４のいずれかに記載の放電灯点灯装置。
【請求項６】
前記モジュールは点灯制御回路からの信号を受け、前記モジュールを動作させる電源を制御できるマイコンを備えることを特徴とする請求項１〜５のいずれかに記載の放電灯点灯装置。
【請求項７】
前記モジュールは内部に放電灯点灯時間に対する発振周波数を決定する補正用テーブルを記憶したメモリを持ち、放電灯点灯時間に応じて発振回路の発振周波数を決定するマイコンを備えることを特徴とする請求項１〜５のいずれかに記載の放電灯点灯装置。
【請求項８】
前記モジュールは所定の検知範囲内における人の在否の検出を行う人感センサーを用いて人の存在を示す検出結果が得られるか否かの監視を行い、人の存在を示す検出結果が得られる毎に所定時間発振回路を動作させ、人の存在を示す検出結果が得られない場合は発振回路を不動作とするマイコンを備えることを特徴とする請求項１〜５のいずれかに記載の放電灯点灯装置。
【請求項９】
前記モジュールは所定の検知範囲内における人の在否の検出を行う人感センサーから人の存在を示す検出結果が得られるか否かの監視を行い、人の存在を示す検出結果が得られる毎に所定時間の間、放電灯点灯回路の発振周波数を切り替えるマイコンを備えることを特徴とする請求項１〜５のいずれかに記載の放電灯点灯装置。
【請求項１０】
前記モジュールは所定の検知範囲内における人の在否の検出を行う人感センサーから人の存在を示す検出結果が得られるか否かの監視を行い、人の存在を示す検出結果が得られる毎に所定時間の間、発振回路を動作させ、人の存在を示す検出結果が得られない場合は発振回路を不動作とするマイコンを備え、前記所定時間を調節する装置を備えることを特徴とする請求項１〜５のいずれかに記載の放電灯点灯装置。
【請求項１１】
前記モジュールは所定の検知範囲内における人の在否の検出を行う人感センサーから人の存在を示す検出結果が得られるか否かの監視を行い、人の存在を示す検出結果が得られる毎に所定時間の間、発振回路の発振周波数を切り替えるマイコンを備え、前記所定時間を調節する装置を備えることを特徴とする請求項１〜５のいずれかに記載の放電灯点灯装置。
【請求項１２】
前記モジュールは電源投入から所定時間を計時するタイマー機能を持ち、所定時間の間は発振回路を動作させ、前記所定時間が経過した時点で発振回路を不動作とするマイコンを備えることを特徴とする請求項１〜５のいずれかに記載の放電灯点灯装置。
【請求項１３】
前記モジュールは電源投入から所定時間を計時するタイマー機能を持ち、前記所定時間が経過した時点で発振回路の発振周波数を切り替えるマイコンを備えることを特徴とする請求項１〜５のいずれかに記載の放電灯点灯装置。
【請求項１４】
前記モジュールは放電灯点灯制御に関するスケジュールを書き込めるメモリを持ち、前記メモリに書き込まれた情報に従い発振回路を動作させる又は不動作とさせるマイコンを備えることを特徴とする請求項１〜５のいずれかに記載の放電灯点灯装置。
【請求項１５】
前記モジュールは放電灯点灯制御に関するスケジュールを書き込めるメモリを持ち、前記メモリに書き込まれた情報に従い発振回路の発振周波数を切り替えるマイコンを備えることを特徴とする請求項１〜５のいずれかに記載の放電灯点灯装置。
【請求項１６】
前記モジュールは所定の検知範囲内における照度を検出する照明センサーからの信号を受け、検出される照度値と設定レベルとの関係により発振回路を動作させる又は不動作とさせるマイコンを備えることを特徴とする請求項１〜５のいずれかに記載の放電灯点灯装置。
【請求項１７】
前記モジュールは所定の検知範囲内における照度を検出する照明センサーからの信号を受け、検出される照度値と設定レベルとの関係により発振回路の発振周波数を切り替えるマイコンを備えることを特徴とする請求項１〜５のいずれかに記載の放電灯点灯装置。
【請求項１８】
前記モジュールは遠隔操作端末からの信号を受信するリモコンセンサーを持ち、遠隔操作信号により発振回路を動作させる又は不動作とさせるマイコンを備えることを特徴とする請求項１〜５のいずれかに記載の放電灯点灯装置。
【請求項１９】
前記モジュールは遠隔操作端末からの信号を受信するリモコンセンサーを持ち、遠隔操作信号により発振回路の発振周波数を切り替えるマイコンを備えることを特徴とする請求項１〜５のいずれかに記載の放電灯点灯装置。
【請求項２０】
前記モジュールは数種放電灯の発振周波数−発振電圧特性である共振カーブを記憶したメモリを持ち、放電灯点灯回路からの信号に応じて発振回路の発振周波数を切り替えるマイコンを備えることを特徴とする請求項１〜５のいずれかに記載の放電灯点灯装置。
【請求項２１】
前記モジュールは、電池と、電源遮断の信号を受け交流−直流変換回路への電源供給先を決定し、発振回路の発振周波数を切り替えるマイコンを備えることを特徴とする請求項１〜５のいずれかに記載の放電灯点灯装置。
【請求項２２】
請求項１〜２１のいずれかに記載の放電灯点灯装置を器具本体に内蔵したことを特徴とする照明器具。
【発明の詳細な説明】
【０００１】
【発明の属する技術分野】
本発明は、放電灯を点灯させる放電灯点灯装置及び照明器具に関するものである。
【０００２】
【従来の技術】
【特許文献１】
特開２００１−１５２７６号公報
【特許文献２】
特開２００１−１８５３６８号公報
【０００３】
図１１は従来の照度補正機能を備えた照明装置で特開２００１−１５２７６（特許文献１）に記載された放電灯点灯装置の概略を示したものである。交流電源５１から電力を供給される放電灯点灯装置５２は、放電灯５３を点灯させるとともに放電灯５３への供給電力は点灯制御回路５４により制御可能である。放電灯点灯装置５２への給電時間は放電灯５３の点灯時間として点灯時間タイマー５５に計時される。照度補正装置５６では放電灯５３の点灯時間の経過に伴う光束低下を抑制するように点灯時間タイマー５５により計時された点灯時間に応じて放電灯５３への供給電力を放電灯点灯装置５２に指示する。
【０００４】
図１２は従来の人感センサーによる自動点灯制御機能を備えた照明装置で特開２００１−１８５３６８（特許文献２）に記載された放電灯点灯装置の概略を示したものである。交流電源５１から電力を供給される放電灯点灯装置５２は、放電灯５３を点灯させるとともに放電灯５３への供給電力は点灯制御回路５４により制御可能である。電源投入から点灯時間タイマー５５により計時された所定時間Ｔ１の間、放電灯５３を点灯させ、その経過時点から所定時間Ｔ２の間、点灯を維持した状態で人感センサー５７から人の存在を示す検出結果が得られるか否かを監視する。所定時間Ｔ２の経過後、人の存在を示す検出結果が得られる毎に、点灯保持時間、放電灯５３を点灯させる。また、上記の監視の際に人の存在を示す検出結果が得られなかった場合、所定時間Ｔ２の経過時点で放電灯５３を消灯させ、監視の際に人の存在を示す結果が得られた場合、所定時間Ｔ２の経過時点から点灯保持時間が開始したものとして放電灯５３を点灯させる点灯制御回路５４を備えている。
【０００５】
【発明が解決しようとする課題】
しかしながら、図１１や図１２のような従来装置においては、照度補正装置または自動点灯制御機能のような付加機能を取り外して、単出力の放電灯点灯装置として使用することができず、主回路が同じ放電灯点灯装置でありながら、付加機能を取り替えることはできなかった。また、従来の単出力の放電灯点灯装置においては、容易に従来例に示すような付加機能を追加することができないという問題があった。
【０００６】
本発明では、主回路が同じ放電灯点灯装置において、モジュールを取付けない際には単出力の放電灯点灯装置として動作し、モジュールを取付けた際には、取付けたモジュールに応じた機能を放電灯点灯装置に付加することができる放電灯点灯装置を提供することを課題とする。
【０００７】
【課題を解決するための手段】
請求項１の放電灯点灯装置にあっては、上記の課題を解決するために、図１に示すように、交流電源と、交流電源を整流し所定の直流電圧に変換する交流−直流変換回路と、交流−直流変換回路に接続されるとともに少なくとも一つのスイッチング素子を有し所定の直流電圧を高周波電圧に変換するインバータ回路と、インバータ回路に接続されるとともに少なくともコンデンサ及びインダクタを有し放電灯を点灯させる共振回路と、交流−直流変換回路及びインバータ回路の動作を制御する点灯制御回路と、モジュールの装着時には所定の機能を付加されて非装着時には単出力動作となるようなモジュールを取り付ける空間と、点灯制御回路とモジュールとの電気的接続を可能とする手段と、交流電源の両端とモジュールとの電気的接続を可能とする手段と、放電灯の両端とモジュールとの電気的接続を可能とする手段とを備えることを特徴とするものである。
【０００８】
請求項２の発明によれば、請求項１において、前記点灯制御回路とモジュールとの電気的接続を可能とする手段は、接続端子であることを特徴とする。
請求項３の発明によれば、請求項２において、前記交流電源の両端とモジュールとの電気的接続を可能とする手段は、交流電源を直流電源にして出力する整流器と、整流器に接続されたコンデンサを持ち、前記コンデンサの両端電圧情報を前記接続端子に伝送することを特徴とする。
請求項４の発明によれば、請求項２又は３において、前記放電灯の両端とモジュールとの電気的接続を可能とする手段は、前記共振回路の両端電圧を検出し、前記接続端子に伝送する手段であることを特徴とする。
【０００９】
請求項５の発明によれば、請求項１〜４のいずれかにおいて、機能の異なる多種のモジュールを選択的に取り付け可能であることを特徴とする。
請求項６の発明によれば、請求項１〜５のいずれかにおいて、前記モジュールは点灯制御回路からの信号を受け、前記モジュールを動作させる電源を制御できるマイコンを備えることを特徴とする。
請求項７の発明によれば、請求項１〜５のいずれかにおいて、前記モジュールは内部に放電灯点灯時間に対する発振周波数を決定する補正用テーブルを記憶したメモリを持ち、放電灯点灯時間に応じて発振回路の発振周波数を決定するマイコンを備えることを特徴とする。
【００１０】
請求項８の発明によれば、請求項１〜５のいずれかにおいて、前記モジュールは所定の検知範囲内における人の在否の検出を行う人感センサーを用いて人の存在を示す検出結果が得られるか否かの監視を行い、人の存在を示す検出結果が得られる毎に所定時間発振回路を動作させ、人の存在を示す検出結果が得られない場合は発振回路を不動作とするマイコンを備えることを特徴とする。
請求項９の発明によれば、請求項１〜５のいずれかにおいて、前記モジュールは所定の検知範囲内における人の在否の検出を行う人感センサーから人の存在を示す検出結果が得られるか否かの監視を行い、人の存在を示す検出結果が得られる毎に所定時間の間、放電灯点灯回路の発振周波数を切り替えるマイコンを備えることを特徴とする。
請求項１０の発明によれば、請求項１〜５のいずれかにおいて、前記モジュールは所定の検知範囲内における人の在否の検出を行う人感センサーから人の存在を示す検出結果が得られるか否かの監視を行い、人の存在を示す検出結果が得られる毎に所定時間の間、発振回路を動作させ、人の存在を示す検出結果が得られない場合は発振回路を不動作とするマイコンを備え、前記所定時間を調節する装置を備えることを特徴とする。
【００１１】
請求項１１の発明によれば、請求項１〜５のいずれかにおいて、前記モジュールは所定の検知範囲内における人の在否の検出を行う人感センサーから人の存在を示す検出結果が得られるか否かの監視を行い、人の存在を示す検出結果が得られる毎に所定時間の間、発振回路の発振周波数を切り替えるマイコンを備え、前記所定時間を調節する装置を備えることを特徴とする。
請求項１２の発明によれば、請求項１〜５のいずれかにおいて、前記モジュールは電源投入から所定時間を計時するタイマー機能を持ち、所定時間の間は発振回路を動作させ、前記所定時間が経過した時点で発振回路を不動作とするマイコンを備えることを特徴とする。
請求項１３の発明によれば、請求項１〜５のいずれかにおいて、前記モジュールは電源投入から所定時間を計時するタイマー機能を持ち、前記所定時間が経過した時点で発振回路の発振周波数を切り替えるマイコンを備えることを特徴とする。
【００１２】
請求項１４の発明によれば、請求項１〜５のいずれかにおいて、前記モジュールは放電灯点灯制御に関するスケジュールを書き込めるメモリを持ち、前記メモリに書き込まれた情報に従い発振回路を動作させる又は不動作とさせるマイコンを備えることを特徴とする。
請求項１５の発明によれば、請求項１〜５のいずれかにおいて、前記モジュールは放電灯点灯制御に関するスケジュールを書き込めるメモリを持ち、前記メモリに書き込まれた情報に従い発振回路の発振周波数を切り替えるマイコンを備えることを特徴とする。
請求項１６の発明によれば、請求項１〜５のいずれかにおいて、前記モジュールは所定の検知範囲内における照度を検出する照明センサーからの信号を受け、検出される照度値と設定レベルとの関係により発振回路を動作させる又は不動作とさせるマイコンを備えることを特徴とする。
【００１３】
請求項１７の発明によれば、請求項１〜５のいずれかにおいて、前記モジュールは所定の検知範囲内における照度を検出する照明センサーからの信号を受け、検出される照度値と設定レベルとの関係により発振回路の発振周波数を切り替えるマイコンを備えることを特徴とする。
請求項１８の発明によれば、請求項１〜５のいずれかにおいて、前記モジュールは遠隔操作端末からの信号を受信するリモコンセンサーを持ち、遠隔操作信号により発振回路を動作させる又は不動作とさせるマイコンを備えることを特徴とする。
請求項１９の発明によれば、請求項１〜５のいずれかにおいて、前記モジュールは遠隔操作端末からの信号を受信するリモコンセンサーを持ち、遠隔操作信号により発振回路の発振周波数を切り替えるマイコンを備えることを特徴とする。
【００１４】
請求項２０の発明によれば、請求項１〜５のいずれかにおいて、前記モジュールは数種放電灯の発振周波数−発振電圧特性である共振カーブを記憶したメモリを持ち、放電灯点灯回路からの信号に応じて発振回路の発振周波数を切り替えるマイコンを備えることを特徴とする。
請求項２１の発明によれば、請求項１〜５のいずれかにおいて、前記モジュールは、電池と、電源遮断の信号を受け交流−直流変換回路への電源供給先を決定し、発振回路の発振周波数を切り替えるマイコンを備えることを特徴とする。
請求項２２は照明器具に関する発明であり、請求項１〜２１のいずれかに記載の放電灯点灯装置を器具本体に内蔵したことを特徴とする。
【００１５】
【発明の実施の形態】
（実施の形態１）
本発明の実施の形態１の回路構成を図１に示す。放電灯点灯装置１２にはインバータ回路を用いたものを採用している。すなわち、交流電源Ｖｓを全波整流するダイオードブリッジよりなる整流器ＤＢ１を備え、整流器ＤＢ１の直流出力端間にはインダクタンスＬ１を介してＭＯＳＦＥＴよりなるスイッチング素子Ｑ３が接続されている。さらに、スイッチング素子Ｑ３の両端間にはダイオードＤ１と平滑コンデンサＣ１の直列回路が接続され、この平滑コンデンサＣ１を電源としてインバータ回路が駆動されるようになっている。インバータ回路は、平滑コンデンサＣ１の両端間に接続されたＭＯＳＦＥＴからなる一対のスイッチング素子Ｑ１，Ｑ２の直列回路を備え、一方のスイッチング素子Ｑ２の両端間に、直流カット用のコンデンサＣ２と共振用のインダクタンスＬ２と放電灯１１との直列回路が接続された構成を有する。放電灯１１の両フィラメントの非電源側端子間には前記インダクタンスＬ２とともに共振回路を構成するコンデンサＣ３が接続されている。スイッチング素子Ｑ１〜Ｑ３は点灯制御回路ＣＮ１により高周波でオン・オフされ、スイッチング素子Ｑ１，Ｑ２は交互にオン・オフされる。また、点灯制御回路ＣＮ１にはモジュール１３からの調光信号が入力され、スイッチング素子Ｑ１，Ｑ２のオン・オフの周期（つまり動作周波数）を制御することによって、放電灯１１に供給する電力を調節するようになっている。
【００１６】
図１に示すインバータ回路の動作は周知のものであって、インダクタンスＬ１とスイッチング素子Ｑ３とダイオードＤ１と平滑コンデンサＣ１とにより構成された昇圧チョッパ回路により整流器ＤＢ１からの出力電圧を昇圧し、スイッチング素子Ｑ１，Ｑ２を交互にオン・オフさせることによって放電灯１１に交番電流を流すのである。ここで、放電灯１１への給電経路にはインダクタンスＬ２およびコンデンサＣ３が存在するから、スイッチング素子Ｑ１，Ｑ２のオン・オフの周期（動作周波数）とインダクタンスＬ２およびコンデンサＣ３などによる共振周波数との関係によって、放電灯１１への供給エネルギを調節することができる。
【００１７】
モジュール１３は点灯時間メモリ１４、不揮発性メモリ１７とともにマイコンにより構成される。このマイコンには点灯時間タイマ１４による計時時間を読み書きするととともにモジュール１３において用いる補正用テーブルを格納したＥＥＰＲＯＭである不揮発性メモリ１７が設けられる。補正用テーブルは放電灯１１の使用時間と補正用の調光比とを対応付けたテーブルであって、モジュール１３に設けた調光比設定部１５において点灯時間メモリ１４により計時された使用時間を用いて不揮発性メモリ１７から調光比を読み出すことで、放電灯１１の光出力を略一定に保つための調光比を決定することができる。調光比設定部１５により決定した調光比は調光信号生成部１６に与えられ、点灯制御回路ＣＮ１に与える調光信号が生成される。
【００１８】
なお、交流電源Ｖｓには通電検出回路１８が接続されており、交流電源Ｖｓからの入力電圧は抵抗Ｒ１，Ｒ２により分圧され、ダイオードブリッジよりなる整流器ＤＢ２で整流され、コンデンサＣ４で平滑されて、通電検出信号となり、接続端子２０を介してモジュール１３に入力される。
【００１９】
しかして、交流電源Ｖｓが投入されコンデンサＣ４の両端電圧が規定電圧に達すると点灯時間メモリ１４は上述した初期設定処理を行って不揮発性メモリ１７から前回までの放電灯１１の使用時間を読み出した後、調光比設定部１５にこの使用時間を与える。調光比設定部１５では不揮発性メモリ１７に格納されている補正用テーブルに使用時間を照合し、使用時間に対応した調光比を読み出す。このようにして読み出された調光比は調光信号生成部１６に与えられ、インバータ回路の出力が制御される。また、点灯時間メモリ１４では使用時間を計時し、計時後の時間を不揮発性メモリ１７に格納する。以後は、電源Ｖｓが供給されている期間には、使用時間を不揮発性メモリ１７から読み出して新たな使用時間を不揮発性メモリ１７に書き込むまでの動作を繰り返し、使用時間に応じて放電灯１１への供給電力を調節するのである。
【００２０】
モジュール１３の取り付け例を図２に示す。図中、２１は電源入力端子、２２は整流回路部、２３はチョッパ回路部、２４はモジュール空間、２５はインバータ回路部、２６は共振回路部、２７は放電灯接続端子である。上述のモジュール１３は放電灯点灯回路基板２８の表側のチョッパ回路部２３とインバータ回路部２５の間に存在するモジュール空間２４部分の接続端子２０に取り付けることができる。モジュール１３と放電灯点灯回路基板２８の裏側に取り付けられた点灯制御回路ＣＮ１との信号の交換は、接続端子２０を通じて可能となっている。モジュール１３の電源は、点灯制御回路ＣＮ１から接続端子２０を通じて供給される。モジュール１３は接続端子２０によって容易に取り付け、取り外しが可能となっている。モジュール１３を取り外した際には、放電灯点灯装置１２は単出力放電灯点灯装置として動作する。通常点灯時においては、点灯制御回路ＣＮ１からモード出力として通常点灯用の信号がモジュール１３に出力されるが、通常点灯していない場合、モジュール１３には別の信号が出力され、マイコンの動作が止まるように制御を施している。
【００２１】
通常、一定電力で放電灯を点灯させ続けると、点灯時間に応じて放電灯から放出される光束が減衰するが、この実施の形態では補正用テーブルに従い点灯時間に応じて放電灯への供給電力を上げていき、光束を一定に保つ初期照度補正を実現できるという効果がある。また、初期照度補正機能をモジュール１３で実現しているため、モジュール１３を取り外した場合、単出力放電灯点灯装置としても使用することが可能であるという効果がある。更に点灯制御回路ＣＮ１からのモード出力によってマイコンの電源を制御できるため、非点灯時においてはマイコンでの消費電力を抑えることが可能となるという効果がある。
【００２２】
（実施の形態２）
図３に本発明の実施の形態２の構成を示す。主な構成は実施の形態１と同様である。モジュール１３は点灯時間タイマー３４とともにマイコンにより構成される。電源投入時から点灯時間タイマー３４によって計時された所定時間Ｔ１１の間、放電灯１１を点灯させ、その経過時点から所定時間Ｔ１２の間、点灯を維持した状態で人感センサー３３から人の存在を示す検出結果が得られるか否かを監視し、Ｔ１２の経過後、人の存在を示す結果が得られる毎に、点灯保持時間Ｔ１２の間、放電灯１１を点灯させるほか、監視の際に人の存在を示す結果が得られなかった場合、Ｔ１２の経過時点で放電灯１１を消灯する信号を点灯制御回路ＣＮ１に出力する。監視の際に人の存在を示す検出結果が得られた場合、Ｔ１２の経過時点から点灯保持時間が開始したものとして放電灯１１を点灯させる。人感センサー３３はモジュール１３の外部の希望範囲を検知可能な場所に取り付けられ、モジュール１３に検出信号を送ることが可能な仕様である。
【００２３】
この実施の形態では監視の際に人感センサー３３から人の存在を示す検出結果が得られなかった場合には、放電灯１１は消灯し無駄な電力消費の防止が可能になるという効果がある。また、この機能をモジュール１３で実現しているため、モジュール１３を取り外した場合、単出力放電灯点灯装置としても使用することが可能であるという効果がある。更に点灯制御回路ＣＮ１からのモード出力によってマイコンの電源を制御できるため、非点灯時においてはマイコンでの消費電力を抑えることが可能になるという効果がある。
【００２４】
（実施の形態３）
図４に本発明の実施の形態３の構成を示す。主な構成は実施の形態１と同様である。モジュール１３は点灯時間タイマー３４、保持時間切換装置３５とともにマイコンにより構成される。電源投入時から点灯時間タイマー３４によって計時された所定時間Ｔ１１の間、放電灯１１を点灯させ、その経過時点から所定時間Ｔ１２の間、点灯を維持した状態で人感センサー３３から人の存在を示す検出結果が得られるか否かを監視し、Ｔ１２の経過後、人の存在を示す結果が得られる毎に、点灯保持時間Ｔ１２の間、放電灯１１を点灯させるほか、監視の際に人の存在を示す結果が得られなかった場合、Ｔ１２の経過時点で放電灯１１を消灯する信号を点灯制御回路ＣＮ１に出力する。監視の際に人の存在を示す検出結果が得られた場合、Ｔ１２の経過時点から点灯保持時間が開始したものとして放電灯１１を点灯させる。人感センサー３３はモジュール１３の外部の希望範囲を検知可能な場所に取り付けられ、モジュール１３に検出信号を送ることが可能な仕様である。実施の形態２と異なる点は、点灯時間タイマー３４によって計時される点灯保持時間Ｔ１２を、保持時間切換装置３５により調節することができる点である。
【００２５】
この実施の形態では監視の際に人感センサー３３から人の存在を示す検出結果が得られなかった場合には、放電灯１１は消灯し無駄な電力消費の防止が可能になるという効果がある。この際、保持時間切換装置３５を設けたことによりユーザーの好みの点灯保持時間を設定することが可能という効果がある。また、この機能をモジュール１３で実現しているため、モジュール１３を取り外した場合、単出力放電灯点灯装置としても使用することが可能であるという効果がある。更に点灯制御回路ＣＮ１からのモード出力によってマイコンの電源を制御できるため、非点灯時においてはマイコンでの消費電力を抑えることが可能になるという効果がある。
【００２６】
（実施の形態４）
図５に本発明の実施の形態４の構成を示す。主な回路構成は実施の形態１と同様である。モジュール１３は不揮発性メモリ１７、点灯時間タイマー３４とともにマイコンにより構成される。不揮発性メモリ１７はモジュール１３において用いる補正用テーブルを格納している。モジュール１３に設けた調光比設定部１５において電源投入と同時に計時を開始する点灯時間タイマー３４から放電灯点灯時間を読み取り、不揮発性メモリ１７に書き込まれた補正用テーブルを読み出すことで、放電灯点灯時間に応じた放電灯１１の調光比を決定することができる。調光比設定部１５により決定した調光比は調光信号生成部１６に与えられ、点灯制御回路ＣＮ１に与える調光信号が生成される。
【００２７】
この実施の形態では電源投入からの点灯時間に応じて放電灯１１の調光比を変えることができるため、例えば点灯時間の増加に伴い放電灯１１の出力を減少させる補正用テーブルを不揮発性メモリ１７に格納しておくと、放電灯１１の消し忘れなどの場合、無駄な電力消費の防止が可能になるという効果がある。また、この機能をモジュール１３で実現しているため、モジュール１３を取り外した場合、単出力放電灯点灯装置としても使用することが可能であるという効果がある。更に点灯制御回路ＣＮ１からのモード出力によってマイコンの電源を制御できるため、非点灯時においてはマイコンでの消費電力を抑えることが可能になるという効果がある。
【００２８】
（実施の形態５）
図６に本発明の実施の形態５の構成を示す。主な回路構成は実施の形態１と同様である。モジュール１３は時計３８、スケジュール書き込み可能メモリ３９とともにマイコンにより構成される。メモリ３９は外部からユーザーがスケジュール書込み装置４０を用いて放電灯１１の調光スケジュールを書き込める不揮発性メモリである。モジュール１３に設けた調光比設定部１５において時計３８から時間を読み取り、メモリ３９に書き込まれた調光スケジュールを読み出すことで、スケジュールに応じて放電灯１１の調光比を決定することができる。調光比設定部１５により決定した調光比は調光信号生成部１６に与えられ、点灯制御回路ＣＮ１に与える調光信号が生成される。
【００２９】
この実施の形態では書き込み可能メモリ３９にユーザーが自由に点灯制御に関するタイムテーブルを書き込んで、そのタイムテーブルに応じた点灯制御が可能になるという効果がある。また、この機能をモジュール１３で実現しているため、モジュール１３を取り外した場合、単出力放電灯点灯装置としても使用することが可能であるという効果がある。更に点灯制御回路ＣＮ１からのモード出力によってマイコンの電源を制御できるため、非点灯時においてはマイコンでの消費電力を抑えることが可能になるという効果がある。
【００３０】
（実施の形態６）
図７に本発明の実施の形態６の構成を示す。主な構成は実施の形態１と同様である。モジュール１３は不揮発性メモリ１７とともにマイコンにより構成される。不揮発性メモリ１７にはモジュール１３において用いる照度補正用テーブルが格納されている。照度補正用テーブルは周囲照度と補正用の調光比を対応付けたテーブルである。照度センサ４１は所定の検知範囲内の照度を一定時間ごとに検出して、調光比設定部１５に周囲照度に応じた信号を出力する。調光比設定部１５は照度センサ４１の信号をもとに不揮発性メモリ１７から調光比を割り出し、放電灯１１において周囲照度に適した調光比を決定することができる。調光比設定部１５により決定した調光比は調光信号生成部１６に与えられ、点灯制御回路ＣＮ１に与える調光信号が生成される。照度センサ４１はモジュール１３の外部の希望範囲を検知可能な場所に取付けられ、モジュール１３に検出信号を送ることが可能な仕様である。
【００３１】
この実施の形態では所定の検知範囲内の照度に応じて放電灯１１の調光制御が可能であり、例えば所定の検知範囲内の照度が大きい時、放電灯１１の出力を減少させる照度補正用テーブルを不揮発性メモリ１７に格納させておくと、所定の検知範囲内が明るい時、放電灯１１の出力を減少させ、無駄な電力消費の防止が可能になるという効果がある。またこの機能をモジュール１３で実現しているため、モジュール１３を取り外した場合、単出力放電灯点灯装置としても使用することが可能であるという効果がある。更に点灯制御回路ＣＮ１からのモード出力によってマイコンの電源を制御できるため、非点灯時においてはマイコンでの消費電力を抑えることが可能になるという効果がある。
【００３２】
（実施の形態７）
図８に本発明の実施の形態７の構成を示す。主な構成は実施の形態１と同様である。モジュール１３はリモコン信号受信部４２とともにマイコンにより構成される。電源投入と同時に放電灯１１を点灯させる。モジュール１３に電源が投入されるとリモコン信号受信部４２でのセンシングがスタートし、リモコンからの消灯信号を受信すると放電灯１１を消灯する信号を点灯制御回路ＣＮ１に出力する。消灯中においてリモコンからの点灯信号を受信すると放電灯１１を点灯する信号を点灯制御回路ＣＮ１に出力する。
【００３３】
この実施の形態では遠隔操作端末からリモコン信号受信部４２への信号送信可能範囲内では放電灯１１の点灯制御を遠隔操作端末によって実施することが可能となる効果がある。また、この機能をモジュール１３で実現しているため、モジュール１３を取り外した場合、単出力放電灯点灯装置としても使用することが可能であるという効果がある。更に点灯制御回路ＣＮ１からのモード出力によってマイコンの電源を制御できるため、非点灯時においてはマイコンでの消費電力を抑えることが可能になるという効果がある。
【００３４】
（実施の形態８）
図９に本発明の実施の形態８の構成を示す。主な構成は実施の形態１と同様である。モジュール１３は不揮発性メモリ１７とマイコンから構成される。不揮発性メモリ１７にはそれぞれ各種放電灯の発振周波数−発振電圧特性である共振カーブ、各種放電灯への供給電力が格納されている。放電灯判別部４５は放電灯１１の両端電圧及び発振周波数を取り込み、不揮発性メモリ１７に格納された共振カーブと照合することにより、放電灯１１の種類を判断する。供給電力設定部４３では放電灯判別部４５で判別された放電灯から不揮発性メモリ１７により放電灯１１への供給電力を決定し、供給電力信号生成部４４から点灯制御回路ＣＮ１に供給電力信号が与えられる。点灯制御回路ＣＮ１はこの信号を受け放電灯１１への供給電力を決定する。
【００３５】
この実施の形態では放電灯１１の種類を判別し、その放電灯の種類に応じた供給電力を決定することが可能であるという効果がある。また、この機能をモジュール１３で実現しているため、モジュール１３を取り外した場合、単出力放電灯点灯装置としても使用することが可能であるという効果がある。更に点灯制御回路ＣＮ１からのモード出力によってマイコンの電源を制御できるため、非点灯時においてはマイコンでの消費電力を抑えることが可能になるという効果がある。
【００３６】
（実施の形態９）
図１０に本発明の実施の形態９の構成を示す。主な構成は実施の形態１と同様である。モジュール１３は電源遮断検出部４６とともにマイコンにより構成される。電源遮断検出部４６において交流電源Ｖｓを監視し、異常が認められない場合は、放電灯点灯装置１２の電源として交流電源Ｖｓを用いる。電源遮断を確認すると、電源制御部４７は放電灯点灯装置１２の電源を直流電源Ｅに切り替える制御を行い、放電灯１１での電力消費を抑えるため調光信号生成部１６で点灯制御回路ＣＮ１への調光信号が生成され、点灯制御回路ＣＮ１に与えられる。
【００３７】
電源遮断状態が終わると、電源制御部４７は放電灯点灯装置１２の電源を交流電源Ｖｓに切り替え、電力消費を抑える調光信号を点灯制御回路ＣＮ１に与えるのを終え、放電灯１１は通常点灯に戻る。この実施の形態では停電などの非常時に、非常電源として直流電源Ｅを用いることにより出力を低減しながらではあるが放電灯１１の消灯を防ぐことが可能であるという効果がある。またこの機能をモジュール１３で実現しているため、モジュール１３を取り外した場合、単出力放電灯点灯装置としても使用することが可能であるという効果がある。更に点灯制御回路ＣＮ１からのモード出力によってマイコンの電源を制御できるため、非点灯時においてはマイコンでの消費電力を抑えることが可能になるという効果がある。
【００３８】
【発明の効果】
請求項１の発明によれば、モジュールを取付けることにより単出力放電灯点灯装置に付加機能を取付けることができるという効果がある。
請求項２の発明によれば、接続端子を備えることにより放電灯点灯装置とモジュールとの取付けを容易に実施できるという効果がある。
請求項３の発明によれば、点灯制御回路を動作させる制御電源の状態をモジュールに知らせることができるという効果がある。
【００３９】
請求項４の発明によれば、放電灯両端の発振電圧とその発振周波数をモジュールに知らせることができるという効果がある。
請求項５の発明によれば、モジュールを取り替えることにより単出力放電灯点灯装置にさまざまな付加機能を取付けることができるという効果がある。
請求項６の発明によれば、通常点灯時以外の異常時において、モジュール内部のマイコンの電源を遮断し、消費電力を軽減することができるという効果がある。
【００４０】
請求項７の発明によれば、単出力放電灯点灯装置に点灯時間に応じて放電灯の調光制御をする初期照度補正機能を付加することができるという効果がある。
請求項８の発明によれば、単出力放電灯点灯装置に人の有無に応じて放電灯を点灯／消灯する機能を付加することができるという効果がある。
請求項９の発明によれば、単出力放電灯点灯装置に人の有無に応じて放電灯を調光制御する機能を付加することができるという効果がある。
【００４１】
請求項１０の発明によれば、単出力放電灯点灯装置に人の有無によって放電灯を点灯／消灯し、点灯時間は保持時間切換装置により調節できる機能を付加することができるという効果がある。
請求項１１の発明によれば、単出力放電灯点灯装置に人の有無によって放電灯を調光制御し、点灯時間は保持時間切換装置により調節できる機能を付加することができるという効果がある。
請求項１２の発明によれば、単出力放電灯点灯装置に時間に応じて放電灯を点灯／消灯する機能を付加することができるという効果がある。
【００４２】
請求項１３の発明によれば、単出力放電灯点灯装置に時間に応じて放電灯を調光制御する機能を付加することができるという効果がある。
請求項１４の発明によれば、単出力放電灯点灯装置にメモリに書き込まれたスケジュールに応じて放電灯を点灯／消灯する機能を付加することができるという効果がある。
請求項１５の発明によれば、単出力放電灯点灯装置にメモリに書き込まれたスケジュールに応じて放電灯を調光制御する機能を付加することができるという効果がある。
【００４３】
請求項１６の発明によれば、単出力放電灯点灯装置に周囲の照度に応じて放電灯を点灯／消灯する機能を付加することができるという効果がある。
請求項１７の発明によれば、単出力放電灯点灯装置に周囲の照度に応じて放電灯を調光制御する機能を付加することができるという効果がある。
請求項１８の発明によれば、単出力放電灯点灯装置にリモコンを用いて放電灯を点灯／消灯する機能を付加することができるという効果がある。
【００４４】
請求項１９の発明によれば、単出力放電灯点灯装置にリモコンを用いて放電灯を調光制御する機能を付加することができるという効果がある。
請求項２０の発明によれば、単出力放電灯点灯装置に各種放電灯を接続した際の点灯制御回路からの信号から放電灯の種類を判断し、放電灯に応じた供給電力を決定する機能を付加することができるという効果がある。
請求項２１の発明によれば、単出力放電灯点灯装置に電源遮断時において非常灯の機能を付加することができるという効果がある。
【図面の簡単な説明】
【図１】本発明の実施の形態１の構成を示す回路図である。
【図２】本発明の実施の形態１の基板上の回路配置を示す平面図である。
【図３】本発明の実施の形態２の構成を示す回路図である。
【図４】本発明の実施の形態３の構成を示す回路図である。
【図５】本発明の実施の形態４の構成を示す回路図である。
【図６】本発明の実施の形態５の構成を示す回路図である。
【図７】本発明の実施の形態６の構成を示す回路図である。
【図８】本発明の実施の形態７の構成を示す回路図である。
【図９】本発明の実施の形態８の構成を示す回路図である。
【図１０】本発明の実施の形態９の構成を示す回路図である。
【図１１】従来例を示す回路図である。
【図１２】他の従来例を示す回路図である。
【符号の説明】
Ｖｓ  交流電源
１１  放電灯
１２  放電灯点灯装置
１３  モジュール
２０  接続端子
【図１】
2004296207.tif 000003
【図２】
2004296207.tif 000004
【図３】
2004296207.tif 000005
【図４】
2004296207.tif 000006
【図５】
2004296207.tif 000007
【図６】
2004296207.tif 000008
【図７】
2004296207.tif 000009
【図８】
2004296207.tif 000010
【図９】
2004296207.tif 000011
【図１０】
2004296207.tif 000012
【図１１】
2004296207.tif 000013
【図１２】
2004296207.tif 000014